【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】
上基板上および下基板上のそれぞれに電極を有し、前記上基板と前記下基板とを所定の間隔をもって対向し、前記上基板と前記下基板との間に封入する液晶とを備え、前記上基板を観察者側に配置した液晶表示装置であって、前記下基板の下側には光源部を配置し、該光源部の外側には、反射表示を行うための反射板を備えたことを特徴とする液晶表示装置。
【請求項２】
前記光源部は透過性を備えていることを特徴とする請求項１に記載の液晶表示装置。
【請求項３】
前記光源部は位相差を有していないことを特徴とする請求項１に記載の液晶表示装置。
【請求項４】
前記上基板と前記下基板との外側には、上偏光板と下偏光板とがそれぞれ設けられ、前記下偏光板の下側に前記光源部と前記反射板とが配置されていることを特徴とする請求項１に記載の液晶表示装置。
【請求項５】
前記光源部は導光板を有し、前記反射表示を行うための反射板は、前記導光板に面して配置されていることを特徴とする請求項１に記載の液晶表示装置。
【請求項６】
前記導光板の一部面する位置に、冷陰極管と反射鏡とを有することを特徴とする請求項５に記載の液晶表示装置。
【請求項７】
前記光源部は冷陰極管を有し、前記反射表示を行うための反射板は、前記冷陰極管に面して配置されていることを特徴とする請求項１に記載の液晶表示装置。
【請求項８】
前記光源部はエレクトロルミネッセント層を備えることを特徴とする請求項１に記載の液晶表示装置。
【請求項９】
前記エレクトロルミネッセント層は下電極を備え、該下電極は前記反射表示を行うための反射板であることを特徴とする請求項８に記載の液晶表示装置。
【請求項１０】
前記下基板と前記下偏光板と前記光源部と前記反射板とは、接着剤により接着されていることを特徴とする請求項４に記載の液晶表示装置。
【請求項１１】
前記光源部より観察者側には、拡散板が配置されていることを特徴とする請求項１に記載の液晶表示装置。
【請求項１２】
前記下基板と前記光源部との間に、前記拡散板を有することを特徴とする請求項１１に記載の液晶表示装置。
【請求項１３】
前記拡散板は、前記下基板の外側に配置した前記下偏光板と、前記下基板との間に配置されていることを特徴とする請求項１１に記載の液晶表示装置。
【請求項１４】
前記拡散板は前記下基板と間隙を設けて配置されていることを特徴とする請求項１２または１３に記載の液晶表示装置。
【請求項１５】
前記拡散板は下基板の液晶層側に配置されていることを特徴とする請求項１１に記載の液晶表示装置。
【請求項１６】
前記上基板の外側に、前記拡散板が配置されていることを特徴とする請求項１１から１５のいずれか一項に記載の液晶表示装置。
【請求項１７】
前記拡散板は基板の表面を凹凸形状としたことを特徴とする請求項１１から１６のいずれか一項に記載の液晶表示装置。
【請求項１８】
前記基板の表面の凹凸形状とした拡散板の上側には、平坦化するための保護層を備えることを特徴とする請求項１７に記載の液晶表示装置。
【請求項１９】
前記拡散板は樹脂とビーズとを有することを特徴とする請求項１１から１６のいずれか一項に記載の液晶表示装置。
【請求項２０】
前記拡散板は可視光領域において、ほぼ均一の透過率を有することを特徴とする請求項１１から１９のいずれか一項に記載の液晶表示装置。
【請求項２１】
前記拡散板は位相差を持たないことを特徴とする請求項１１から２０のいずれか一項に記載の液晶表示装置。
【請求項２２】
前記下偏光板と前記光源部との間に、光の指向性を強めるためのレンズフィルムを設けたことを特徴とする請求項４に記載の液晶表示装置。
【請求項２３】
前記上基板上または前記下基板上に有する電極はスイッチング素子であることを特徴とする請求項１に記載の液晶表示装置。
【手続補正２】
【補正対象書類名】明細書
【補正対象項目名】００１５
【補正方法】変更
【補正の内容】
【００１５】
さらに上基板１上と下基板１１上には、液晶１６の分子を規則的に並べるための処理層として、それぞれ配向膜１３を有する。さらにスペーサー（図示せず）によって、上基板１と下基板１１とを所定の間隙寸法をもって対向させ、上基板１と下基板１１との間には、液晶１６を封入している。
【手続補正３】
【補正対象書類名】明細書
【補正対象項目名】００４０
【補正方法】変更
【補正の内容】
【００４０】
液晶表示装置は、外部環境すなわち、外部光源３０の明るい状況では、外部光源３０の光を上偏光板２１、上基板１、信号電極２、液晶１６、対向電極１２、下基板１１、拡散板２０、下偏光板２２と透過し、半透過反射板２５ａと光源部３１の表面の反射を利用して表示を行う。この場合に、下偏光板２２の透過率が可視光領域で着色しているため、拡散板２０を使用していない従来例では、着色する表示となり、白色の表示が出来ない。しかし、本実施形態に示す下基板１１と下偏光板２２との間に拡散板２０、特に可視光領域で透過率、反射率がほぼ等しい白色拡散板を利用することにより、下偏光板２２の着色、および、上偏光板２１の着色表示を防止することができる。
【手続補正４】
【補正対象書類名】明細書
【補正対象項目名】００４２
【補正方法】変更
【補正の内容】
【００４２】
つぎに、白色拡散板２０の特性を説明する。図３は第１の実施形態に示す液晶表示装置の反射率と印加電圧（Ｖ）の特性の関係を示す図である。縦軸が反射率であり、横軸が液晶に印加する電圧である。本発明の実施形態を利用する特性を曲線Ｘにより示す。比較のため、曲線Ｙにより従来例の特性を示す。従来例に比較し、拡散板２０の表面反射、拡散
反射により、まず反射率は向上する。さらに、半透過反射板２５ａを鏡面とし、拡散板２０により拡散性を持たせることにより、半透過反射板２５ａの反射特性を向上することが可能となる。以上により、本発明を利用することにより、反射率が液晶１６への印加電圧によらず従来例に比較し大きくすることができる。特に反射特性が重要である反射型液晶表示装置として利用する場合には、非常に有効となる。
【手続補正５】
【補正対象書類名】明細書
【補正対象項目名】００４４
【補正方法】変更
【補正の内容】
【００４４】
また、光源部３１を点灯する場合においても、光源部３１からの光は、下偏光板２２と液晶１６と上偏光板２１により、反射型として利用する場合と同様の表示が可能となる。すなわち、光源部３１の光は、拡散板２０により所定の散乱角を有し、さらに、拡散板２０の光源部３１側の反射と下基板１１側の散乱により、下偏光板２２の着色を白色化して観察者側へ出射することができる。本発明の構成と類似する住友スリーエム製の反射型偏光板を利用するものは、反射と透過の表示とで、明るさが反転する現象が発生するが、本発明は反射型、透過型の表示の両表示において、明表示は、明表示であり、逆に暗表示は暗表示とすることができる。そのため、本発明は、カラー表示による、反射型と透過型表示の色変化も防止することができ、非常に有効である。
【手続補正６】
【補正対象書類名】明細書
【補正対象項目名】００６２
【補正方法】変更
【補正の内容】
【００６２】
反射型として利用する場合には、拡散板２０を透過した光は有機エレクトロルミネッセント（ＥＬ）層３８を透過し、下電極３９により反射し、再度観察者側に出射し表示を行う。拡散板２０により、エレクトロルミネッセント（ＥＬ）３８の着色と電極３７、３９の形状を遮蔽することができる。
【手続補正７】
【補正対象書類名】明細書
【補正対象項目名】００９０
【補正方法】変更
【補正の内容】
【００９０】
つぎに、拡散板２０の上面からの光線の挙動を図１２を用いて説明する。光線４５は、拡散板２０に対して所定の角度により入射する。拡散板２０のアクリル樹脂４２とビーズ４１の屈折率の違いにより光線は、屈折と反射を繰り返し、下偏光板２２に達し、偏光され半透過反射板２５ａに達する。半透過反射板２５ａのエンボス部分と金属部分のいずれに入射するかにより、光の反射と透過が発生する。光線４５は、金属部分のため、反射し、再び、下偏光板２２を透過し、再び拡散板２０にて屈折を繰り返し、上面へ出射される。以上により下偏光板２２の偏光を上面に伝達することができると同時に、下偏光板２２の色調を白色化することができる。